(57)【要約】【課題】  従来、ＴＶ放送を受信可能な通信端末におけるＴＶ放送周波数設定の手法として、携帯電話等の基地局情報に基づいて、予め登録されたＴＶ放送周波数を検索して周波数を設定する手法が提案されていた。しかし、この手法では全国の基地局情報、ＴＶ放送周波数、ＴＶ放送受信地域等を予め対応付けて登録する必要があり、基地局が統廃合された場合に対応できない。【解決手段】  上記課題を解決するため、本発明は、ＴＶ放送を受信するＴＶ放送受信部と、前記受信したＴＶ放送の映像を表示する表示部と、基地局と通信を行う通信部と、を有する通信端末装置において、前記通信部は、基地局エリア毎に基地局情報を取得し、該基地局情報を用いて該基地局エリアに対応するＴＶ放送周波数を取得し、前記ＴＶ放送受信部は、前記通信部により取得したＴＶ放送周波数でＴＶ放送を受信することを特徴とする。【選択図】  図２
2005175556.tif 000002
【特許請求の範囲】
【請求項１】
ＴＶ放送を受信するＴＶ放送受信部と、
前記受信したＴＶ放送の映像を表示する表示部と、
基地局と通信を行う通信部と、
を有する通信端末装置において、
前記通信部は、基地局エリア毎に基地局情報を取得し、該基地局情報を用いて該基地局エリアに対応するＴＶ放送周波数を取得し、
前記ＴＶ放送受信部は、前記通信部により取得したＴＶ放送周波数でＴＶ放送を受信することを特徴とする通信端末装置。
【請求項２】
請求項１記載の通信端末装置において、
通信端末装置が第一の基地局エリアから第二の基地局エリアに移動したときは、
前記通信部は、前記第二の基地局エリアに対応する基地局情報を取得し、該基地局情報を用いて前記第二の基地局エリアに対応するＴＶ放送周波数を取得し、
前記ＴＶ放送受信部は、ＴＶ放送周波数を、前記第一の基地局エリアに対応するＴＶ放送周波数から、前記第二の基地局エリアに対応するＴＶ放送周波数に切り替えてＴＶ放送を受信することを特徴とする通信端末装置。
【請求項３】
請求項２記載の通信端末装置において、
前記ＴＶ放送受信部、前記表示部、前記通信部を制御する制御部を備え、
前記制御部は、前記基地局情報を用いて基地局エリアの移動を検出し、
前記通信部は、前記基地局エリアの移動が検出されたときは、前記第二の基地局エリアに対応するＴＶ放送周波数を取得することを特徴とする通信端末装置。
【請求項４】
ＴＶ放送を受信するＴＶ放送受信部と、
前記受信したＴＶ放送の映像を表示する表示部と、
通信を行う通信部と、
情報を記憶する記憶部と、
を有する通信端末装置において、
前記通信部は、現在位置におけるＴＶ放送エリアに隣接するＴＶ放送エリアに対応するＴＶ放送周波数とを取得し、
前記記憶部は、前記隣接するＴＶ放送エリアに対応するＴＶ放送周波数を記憶し、
前記ＴＶ放送受信部は、通信端末装置が前記隣接するＴＶ放送エリアに移動したときは、前記記憶部に記憶した前記隣接するＴＶ放送エリアに対応するＴＶ放送周波数でＴＶ放送を受信することを特徴とする通信端末装置。
【請求項５】
請求項４記載の通信端末装置において、
前記通信部は、前記記憶部に現在位置におけるＴＶ放送エリアに対応するＴＶ放送周波数が記憶されていないときは、現在位置におけるＴＶ放送エリアに対応するＴＶ放送周波数と、該ＴＶ放送エリアに隣接するＴＶ放送エリアに対応するＴＶ放送周波数とを取得することを特徴とする通信端末装置。
【請求項６】
ＴＶ放送を受信するＴＶ放送受信部と、
前記受信したＴＶ放送の映像を表示する表示部と、
通信を行う通信部と、
情報を記憶する記憶部と、
を有する通信端末装置において、
前記通信部は、ＴＶ放送エリアに対応するＴＶ放送周波数を取得し、
前記記憶部は、前記通信端末装置がＴＶ放送エリアを移動したときは、該ＴＶ放送エリアに対応するＴＶ放送周波数を記憶し、
前記ＴＶ放送受信部は、前記通信端末装置がこれまでに移動したことがあるＴＶ放送エリアに再び移動したときは、前記記憶部に記憶した該ＴＶ放送エリアのＴＶ放送周波数でＴＶ放送を受信することを特徴とする通信端末装置。
【請求項７】
ＴＶ放送を受信するＴＶ放送受信部と、
前記受信したＴＶ放送の映像を表示する表示部と、
通信を行う通信部と、
情報を記憶する記憶部と、
を有する通信端末装置において、
前記通信部は、ＴＶ放送エリアに対応するＴＶ放送周波数を取得し、
前記記憶部は、前記通信端末装置がＴＶ放送エリアを移動したときは、該ＴＶ放送エリアに対応するＴＶ放送周波数および該ＴＶ放送周波数の信号強度を記憶し、
前記ＴＶ放送受信部は、現在位置におけるＴＶ放送周波数と、前記記憶部に記憶されたＴＶ放送周波数のうち、信号強度が高いＴＶ放送周波数でＴＶ放送を受信することを特徴とする通信端末装置。
【請求項８】
ＴＶ放送を受信するＴＶ放送受信部と、
前記受信したＴＶ放送の映像を表示する表示部と、
通信を行う通信部と、
情報を記憶する記憶部と、
を有する通信端末装置において、
前記ＴＶ放送受信部は、受信しているＴＶ放送のＴＶ放送周波数の信号強度が所定値以下となった場合には、ＴＶ放送周波数を切り替えることを特徴とする通信端末装置。
【請求項９】
請求項８記載の通信端末装置において、
前記ＴＶ放送受信部は、受信しているＴＶ放送の番組と同一の番組を放送しているＴＶ放送のＴＶ放送周波数に、ＴＶ放送周波数を切り替えることを特徴とする通信端末装置。
【請求項１０】
請求項８記載の通信端末装置において、
前記ＴＶ放送受信部は、受信しているＴＶ放送の番組と同一のカテゴリの番組を放送しているＴＶ放送のＴＶ放送周波数に、ＴＶ放送周波数を切り替えることを特徴とする通信端末装置。
【請求項１１】
ＴＶ放送を受信するＴＶ放送受信部と、
前記受信したＴＶ放送の映像を表示する表示部と、
通信を行う通信部と、
を有する通信端末装置において、
前記通信部は、ＴＶ放送を受信するためのＴＶ放送周波数を取得し、
前記ＴＶ放送受信部は、前記通信部により取得したＴＶ放送周波数でＴＶ放送を受信することを特徴とする通信端末装置。
【請求項１２】
請求項１から１１のいずれか記載の通信端末装置において、
前記通信端末装置は、携帯電話であることを特徴とする通信端末装置。
【発明の詳細な説明】
【技術分野】
【０００１】
本発明は、通信端末装置に関するものであり、例えば、ＴＶ放送を受信可能な通信端末に関する。
【背景技術】
【０００２】
従来、ＴＶ放送を受信可能な通信端末におけるＴＶ放送周波数設定の手法として、携帯電話等の基地局情報から位置情報を取得し、当該位置情報に基づいて、予め通信端末に登録されたＴＶ放送周波数を検索してＴＶ放送周波数設定を行う手法が提案されている（例えば、特許文献１）。
【０００３】
また、他の手法として、ＧＰＳ（Global Positioning System）により取得した現在位置情報とＴＶ放送の受信地域とを照合することにより受信地域の移動を判断し、当該受信地域に適合したＴＶ放送周波数の設定を自動的に行う手法が提案されている。
【０００４】
【特許文献１】特開平８−１６２９０９号公報
【０００５】
【特許文献２】特開平７−１１１４３９号公報
【発明の開示】
【発明が解決しようとする課題】
【０００６】
しかしながら、特許文献１記載の手法においては、全国に存在する多数の基地局情報、位置情報、ＴＶ放送周波数、ＴＶ放送受信地域等を予め対応付けて登録する必要があるため、基地局が新たに設置された場合や廃止された場合には適切なＴＶ放送周波数に設定することができない。また、登録作業が煩雑であるだけでなく、これらの情報を記憶するための大容量のメモリを必要とし、装置小型化やコストダウンが困難となる。さらに、登録されたこれらの情報の中から、必要な基地局情報、位置情報、ＴＶ放送周波数、ＴＶ放送受信地域等を検索しなければならないため、その間ＴＶ放送の電波を正常に受信することができず、映像が乱れて視聴に支障をきたすおそれがある。特に、ＴＶ放送周波数設定の異なる複数の受信地域間を行き来するような場合には、移動するたびに映像の乱れが発生するおそれがある。
【０００７】
また、特許文献２記載の手法においては、ＧＰＳ衛星からの電波を受信して現在位置を常に監視し続ける必要があるため、消費電力が大きくなり、待ち受け時間が短くなってしまうおそれがある。また、ＧＰＳ衛星からの電波を受信できない地下街等にいる場合には、位置情報を取得できないためＴＶ放送周波数設定をすることができない。また、特許文献１の場合と同様に、ＴＶ放送周波数設定の切替え高速化を図ることができないため、その間ＴＶ放送の電波を正常に受信することができず、映像が乱れて視聴に支障をきたすおそれもある。
【０００８】
そこで、本発明は、上記問題を解決することにより、使い勝手を向上できる通信端末を提供することを目的とする。
【課題を解決するための手段】
【０００９】
上記目的を達成するため、本発明は、ＴＶ放送を受信するＴＶ放送受信部と、前記受信したＴＶ放送の映像を表示する表示部と、基地局と通信を行う通信部と、を有する通信端末装置において、前記通信部は、基地局エリア毎に基地局情報を取得し、該基地局情報を用いて該基地局エリアに対応するＴＶ放送周波数を取得し、前記ＴＶ放送受信部は、前記通信部により取得したＴＶ放送周波数でＴＶ放送を受信することを特徴とする。
【発明の効果】
【００１０】
本発明によれば、使い勝手を向上できる通信端末を提供することが可能になる。
【発明を実施するための最良の形態】
【００１１】
本発明は、通信端末でＴＶ放送を受信する場合に、携帯電話等の基地局情報をもとにＴＶ放送周波数を設定することにより、受信地域に応じて適切なＴＶ放送周波数の設定を可能にするものである。より具体的には、通信端末が定期的に受信している基地局情報をもとに、その基地局情報に対応するＴＶ放送受信地域、ＴＶ放送周波数の情報をサーバから取得することにより、そのＴＶ放送受信地域に適合するＴＶ放送周波数を設定する。以下、図２を用いて本発明の概要を説明する。
【００１２】
図２は、ＴＶ放送受信地域（ＴＶ放送エリア）と、基地局情報受信地域（基地局エリア）との関係を示す図である。ＴＶ放送受信地域２０は、ＴＶ放送用アンテナ２１から送信されたＴＶ放送を受信できる地域であり、基地局情報受信地域２２は、基地局アンテナ２３から送信された電波を受信できる地域である。通信端末２４は、ＴＶ放送用アンテナ２１からＴＶ放送を受信し、基地局アンテナ２３から基地局情報を受信する。ここで、基地局情報とはそれぞれの基地局に割り当てられた識別情報（ＩＤ）であり、例えば図２ではそれぞれの基地局にＣ１、Ｃ２…Ｃ７、Ｃ８が割り当てられている。
【００１３】
この場合において、通信端末２４がＴＶ放送受信地域２０からＴＶ放送受信地域２５に移動したとする。異なるＴＶ放送受信地域では適切な周波数に切り替えなければ放送を受信することができなくなる場合がある。このような場合には、基地局情報、ＴＶ放送受信地域、ＴＶ放送周波数を対応付けた情報をサーバから取得し、当該ＴＶ放送受信地域に適合した周波数に切り替えることにより、ＴＶ放送の受信を継続することが可能となる。
【００１４】
これにより、異なるＴＶ放送受信地域に移動した場合であっても、特別な装置を用いることなく低消費電力でシームレスにＴＶ放送の視聴を継続することが可能となる。また、通信端末が移動して基地局情報受信地域、ＴＶ放送受信地域が変わったときにＴＶ放送周波数の設定を行うため、低消費電力化を図ることが可能となる。また、全国の基地局情報、ＴＶ放送周波数、ＴＶ放送受信地域等を予め対応付けて記憶する必要がないため、これらの情報を登録する手間を省くとともに、大容量のメモリを必要とせず、装置小型化やコストダウンを図ることが可能となる。
【００１５】
また、リアルタイムで基地局情報やＴＶ放送周波数を取得することになるため、基地局が新たに設置された場合や廃止された場合にも対応でき、基地局の統廃合によりＴＶ放送周波数の設定ができなくなるということもない。特に、現在いわゆる第３世代携帯電話の基地局の新設が進み世代が変わりつつあるが、このような状況にも対応することが可能となる。さらに、現在アナログ放送からデジタル放送への移行が計画されており、将来的にＴＶ放送周波数が変わるが、このような状況にも対応することが可能となる。
【００１６】
また、通信端末２４は、現在位置におけるＴＶ放送受信地域の情報だけでなく、これに隣接したＴＶ放送受信地域の基地局情報、ＴＶ放送受信地域、ＴＶ放送周波数等の情報（これらを総称して隣接情報と呼ぶ）をあらかじめ取得しておき、記憶装置１１に記憶する。この隣接情報は、例えば図７に示す表のような形で記憶されており、基地局情報、ＴＶ放送受信地域、ＴＶ放送周波数が対応付けて記憶されている。この隣接情報は、例えば図２の基地局Ｃ５の基地局情報受信地域にいるときは、そのＴＶ放送受信地域２０と隣接するＴＶ放送受信地域２５における基地局情報、ＴＶ放送受信地域、ＴＶ放送周波数等の情報を格納している。図７は、基地局Ｃ２〜Ｃ５がＴＶ放送受信地域２０、ＴＶ放送周波数８５ＭＨｚ、基地局Ｃ６〜Ｃ８がＴＶ放送受信地域２５、ＴＶ放送周波数１００ＭＨｚであることを示しており、それぞれの基地局情報、ＴＶ放送受信地域、ＴＶ放送周波数を対応付けて格納している。この隣接情報は、図８に示すような形で各放送局ごと（各チャンネルごと）に記憶されている。これにより、通信端末２４が隣接したＴＶ放送受信地域に移動した場合でも、既に必要な情報を取得済みであるためＴＶ放送周波数を高速に切り替えることが可能となり、低消費電力でＴＶ放送周波数を切り替えることが可能となる。異なるＴＶ放送受信地域間を何度も往復するような場合には特に有用である。なお、隣接情報は、基地局アンテナ２３を介してサーバから取得することが可能である。
【００１７】
また、通信端末２４は、これまでに移動した基地局情報、ＴＶ放送受信地域、ＴＶ放送周波数、ＴＶ放送の信号強度等の情報（これらを総称して履歴情報と呼ぶ）を記憶装置１１に記憶する。この履歴情報は、例えば図６に示す表のような形で記憶されており、履歴情報が更新された日時、その日時における基地局情報、ＴＶ放送受信地域、ＴＶ放送周波数、信号強度等が記憶されている。これにより、通信端末２４がこれまでに移動したことがあるＴＶ放送受信地域に再び移動した場合には、既に必要な情報を取得済みであるため高速にＴＶ放送周波数を切り替えることが可能となり、低消費電力でＴＶ放送周波数を切り替えることが可能となる。これまでに移動したことがあるＴＶ放送受信地域間を行き来するような場合には特に有用である。
【００１８】
また、隣接情報や履歴情報がない場合には、携帯電話、無線ＬＡＮ、赤外線などを用いた無線ネットワーク、ケーブルを用いた有線ネットワーク、メモリーカードなどの外部記憶媒体により、現在受信中の基地局情報に基づくＴＶ放送受信地域の情報を取得することにより、ＴＶ放送受信地域のＴＶ放送周波数を設定することが可能となる。
【００１９】
以上、本発明の概要について説明した。以下、本発明について詳細に説明する。
（第１の実施の形態）
本発明の第１の実施の形態について、図面を参照して説明する。
【００２０】
まず、図１を用いて本実施の形態における通信端末、基地局の構成を説明する。
【００２１】
基地局１は、基地局送受信器２、基地局変復調器３を有している。基地局送受信器２は、ネットワークを介して通信端末５と送受信を行う。基地局変復調器３は、基地局送受信器２で送受信する情報を変復調する。
【００２２】
データベース４は、基地局１が位置しているＴＶ放送受信地域とそのＴＶ放送周波数、これに隣接したＴＶ放送受信地域とそのＴＶ放送周波数等の情報をそれぞれ対応付けて記憶するサーバである。このデータベース４は、個々の基地局が個々のデータベースを有する構成とせず、複数の基地局につき１つのデータベースを有する構成としても良い。これにより、設置スペースの低減やコストダウンを図ることが可能となる。なお、図１では基地局の外部にデータベースを設置した場合を示したが、基地局の内部に設置しても良い。
【００２３】
基地局情報を通信端末に送信するときは、まず、基地局情報を基地局情報変復調器３に入力して変調した後、基地局送受信器２に入力する。そして、基地局送受信器２から基地局情報受信地域内の通信端末に基地局情報を送信する。また、隣接情報を通信端末に送信するときは、まず、データベース４に隣接情報をリクエストする。リクエストがなされると、隣接情報をデータベース４から読み出して基地局変復調器３へ入力して変調した後、基地局送受信器２に入力する。そして、基地局送受信器２から基地局情報受信地域内の通信端末に隣接情報を送信する。
【００２４】
通信端末５は、送受信器６、変復調器７、ＴＶ放送チューナー８、ＴＶ放送復調器９、制御装置１０、記憶装置１１、表示装置１２を有している。送受信器６は、ネットワークを介して基地局１と送受信を行う。変復調器７は、送受信器６で送受信する情報を変復調する。ＴＶ放送チューナー８は、ＴＶ放送を受信する。ＴＶ放送復調器９は、ＴＶ放送チューナー８で受信したＴＶ放送の信号を復調する。制御装置１０は、通信端末５全体を制御するものであり、送受信器６、変復調器７、ＴＶ放送チューナー８、ＴＶ放送復調器９、制御装置１０、記憶装置１１、表示装置１２を制御する。また、基地局情報受信地域、ＴＶ放送受信地域の移動があったときに、これを検出する。記憶装置１１は、プログラム、データ等の各種情報をはじめ、基地局情報、隣接情報、履歴情報等を記憶する。表示装置１２は、映像情報、文字情報等を表示する。
【００２５】
基地局１から送信された基地局情報、隣接情報を受信するときは、送受信器６で受信し、変復調器７で復調した後、制御装置１０により記憶部１１に記憶される。また、ＴＶ放送を受信するときは、ＴＶ放送チューナー８で受信し、ＴＶ放送復調器９で復調した後、制御装置１０により表示装置１２から映像や音声が出力される。
【００２６】
この場合において、ＴＶ放送周波数を設定するときは、制御装置１０は、基地局情報をもとに記憶装置１１に格納されている隣接情報、履歴情報を参照し、所望のＴＶ放送周波数を得る。具体的には、基地局情報から現在のＴＶ放送受信地域を確認し、このＴＶ放送受信地域に適合するＴＶ放送周波数を読み出す。制御装置１０は、得られたＴＶ放送周波数の情報をＴＶ放送チューナー８に出力して周波数を設定（チューニング）する。
【００２７】
また、異なるＴＶ放送受信地域間を移動するときは、制御装置１０は、記憶された基地局情報をもとに記憶装置に格納されている隣接情報、履歴情報を参照し、ＴＶ放送チューナー８を、得られたＴＶ放送周波数に設定する。即ち、ＴＶ放送受信地域が変わると基地局も変わるため、それに対応した隣接情報を記憶装置１１から調べることにより、ＴＶ放送周波数が異なる地域であっても、自動的にその地域に適合した周波数に設定することが可能となる。この際、ＴＶ放送受信地域、ＴＶ放送周波数等の必要な情報が隣接情報、履歴情報として記憶装置１１に記憶されていない場合には、サーバからこれらの情報を取得する。
【００２８】
このＴＶ放送チューナー８のチューニング作業は、ＴＶ放送受信地域が変わったとき、基地局情報が変わったときのみ行うようにする。これにより、同じＴＶ放送受信地域でＴＶを視聴する場合にはチューニング作業は不要となる。また、チューニングする必要があるか否かの要否判断は、携帯電話の基地局情報を用いるため、その消費電力は携帯電話の待ち受け動作とほとんど変わらない。即ち、要否判断を行うのは基地局情報が変化したときのみであること、記憶装置１１に記憶した基地局情報、隣接受信地域情報により判断するため通信を行う必要もないことから、ＴＶ放送周波数の切り替えの高速化、低消費電力化を図ることが可能となる。
【００２９】
次に、ＴＶ機能を起動したとき、またはＴＶチャンネルを変更したときに、ＴＶの視聴を開始するまでの処理を図３を用いて説明する。
（１）ＴＶ機能を起動したとき、ＴＶチャンネルを変更したときは（Ｓ１）、まず、基地局移動の有無を判断する（Ｓ２）。即ち、ＴＶ機能が起動されたときは履歴情報（図６）を読み出し、前回ＴＶ視聴時の基地局情報と、現在の基地局情報とを比較する。また、ＴＶチャンネルが変更されたときはチャンネルごとの履歴情報（図６、図８）を読み出し、変更後のＴＶチャンネルを前回視聴した時の基地局情報と、現在の基地局情報とを比較する。例えば、放送局Ａから放送局ＢにＴＶチャンネルを変更したときは、放送局Ｂの前回視聴した時の基地局情報と、現在の基地局情報とを比較する。
【００３０】
その結果、基地局が同一であると判断されたときは、基地局受信地域が変わっていない、即ちＴＶ放送受信地域も変わっていないと判断し、ＴＶ放送周波数の設定をすることなくＳ１１に移行して視聴を開始する。これにより、低消費電力且つ短い時間で視聴を開始できるようになる。また、外部に接続して隣接情報を取得する必要がなくなる。
【００３１】
一方、基地局が異なると判断されたときは、基地局受信地域が変わったと判断し、Ｓ３に移行する。例えば、図６の履歴情報では、現在基地局から受信している基地局情報はＣ５、前回（時間：２００３／８／２８、１０：３０）の基地局情報はＣ１であり、基地局情報が異なることから、前回ＴＶ視聴時または前回ＴＶチャンネル視聴時とは基地局受信地域が変わったと判断される。
（２）基地局受信地域の移動があると判断されたときは、記憶装置１１を検索し、現在位置に対応する基地局、ＴＶ放送受信地域、ＴＶ放送周波数等の情報の有無を確認する（Ｓ３）。即ち、現在の基地局受信地域に移動する前に、すでに隣接情報（図７、図８）、履歴情報（図６、図８）として現在位置に対応する情報を取得しているか否かを確認する。検索は、履歴情報をまず参照し、その後に隣接情報を参照することにより行う。これにより、ＴＶ放送受信地域を移動しても隣接受信地域内でＴＶ視聴をする場合や、異なるＴＶ放送受信地域を往復しながらＴＶ視聴している場合には非常に速い検索が可能であるため、高速なＴＶ周波数の切り替えが可能となる。例えば、現在の基地局情報がＣ５の場合は、履歴情報にその情報があるので（時間：２００３／８／２７、１１：３０）、現在位置に対応する情報があると判断する。
【００３２】
現在位置に対応する情報がないと判断されたときは、Ｓ８に移行して現在位置に対応する基地局受信地域、ＴＶ放送受信地域、ＴＶ放送周波数等の情報をサーバから取得する。また、現在位置に対応する情報だけでなく、隣接情報も取得する（Ｓ８）。通信端末５はＳ８で取得した情報に基づいて適切なＴＶ放送周波数に切り替え（Ｓ９）、ＴＶ放送の視聴を開始できるようにする（Ｓ１０）。なお、Ｓ８で現在位置に対応する情報だけでなく隣接情報をも取得するのは、ＴＶ放送を視聴中に隣接した基地局受信地域に移動したときでも、外部に接続してＴＶ放送周波数を取得する必要がなくすためである。
【００３３】
一方、現在位置に対応する情報があると判断されたときは、Ｓ４に移行する。
（３）現在位置に対応する情報があると判断されたときは、ＴＶ放送受信地域の移動の有無を確認する（Ｓ４）。即ち、履歴情報（図６）と隣接情報（図７）を読み出し、前回ＴＶ視聴時または前回ＴＶチャンネル視聴時のＴＶ放送受信地域と、現在のＴＶ放送受信地域とを比較する。例えば、現在の基地局情報がＣ１の場合は、履歴情報から現在のＴＶ放送受信地域は１と判断し、前回の基地局情報（時間：２００３／８／２８、１０：３０）はＣ５、ＴＶ放送受信地域は３と判断する。また、例えば、放送局Ａから放送局ＢにＴＶチャンネルを変更したときは、放送局Ｂの前回視聴した時のＴＶ放送受信地域と、現在のＴＶ放送受信地域とを比較する。
【００３４】
ＴＶ放送受信地域が同一であると判断されたときは、ＴＶ放送受信地域が変わっていない、即ちＴＶ放送周波数も変わっていないと判断し、Ｓ１１に移行し、周波数設定をすることなく、前回のＴＶ放送受信地域のＴＶ放送周波数で視聴を開始する。これにより、低消費電力かつ短い時間で視聴を開始できるようになる。また、外部に接続してＴＶ放送周波数を取得する必要がなくなる。
【００３５】
一方、ＴＶ放送受信地域が異なると判断されたときは、ＴＶ放送周波数が変わったと判断し、Ｓ５に移行する。例えば、図６の履歴情報では、現在のＴＶ放送受信地域は３、前回（時間：２００３／８／２８、１０：３０）のＴＶ放送受信地域は１であり、前回ＴＶ視聴時または前回ＴＶチャンネル視聴時とはＴＶ放送受信地域が変わったと判断する。
（４）ＴＶ放送受信地域が異なると判断されたときは、ＴＶ放送の信号強度を確認する（Ｓ５）。即ち、履歴情報を読み出し、前回ＴＶ視聴時または前回ＴＶチャンネル選択時の信号強度と、現在の信号強度とを比較する。ＴＶ放送受信地域が異なる地域に移動した場合でも、周囲の状況によっては、前回のＴＶ放送受信地域のＴＶ放送周波数の信号強度が高い場合があり、このような場合にはＴＶ周波数を切り替えない方が好ましいからである。
【００３６】
周囲の状況により信号強度が低下する場合の例としては、山岳地帯、丘陵地帯、ビルの谷間にいる等、地理的な問題や遮蔽物があるためにＴＶ放送を適切に受信できない場合が考えられる。また、大雨、大雪、雷等の気象状況により適切に受信できない場合が考えられる。さらに、ＴＶ放送用アンテナの不調等により適切に受信できない場合が考えられる。このような状況下では、アナログ放送においてはノイズが増加して映像の写りが悪くなり、音質が低下する。また、デジタル放送においてはエラーを訂正しきれなくなって映像のコマ落ちや一時停止が発生し、音も途切れ途切れになるおそれがある。このような場合には、現在のＴＶ放送受信地域におけるＴＶ放送周波数よりも、あえて前回のＴＶ放送受信地域におけるＴＶ放送周波数に設定する方が望ましい。
【００３７】
信号強度が低下していないと判断されたときは、現在のＴＶ放送周波数の信号強度よりも前回のＴＶ放送周波数の信号強度の方が高く受信状態がより良好であると判断し、ＴＶ放送周波数の設定をすることなくＳ１１に移行して視聴を開始する。これにより、低消費電力かつ短い時間で視聴を開始できるようになる。
【００３８】
一方、信号強度が低下したと判断されたときは、現在のＴＶ放送周波数の信号強度が前回のＴＶ放送周波数の信号強度よりも高く受信状態がより良好であると判断し、Ｓ６に移行してＴＶ放送周波数を切り替える。
（５）Ｓ２からＳ５によりＴＶ放送周波数を切り替えるべきと判断されたときは、ＴＶ放送周波数の切り替えを行う（Ｓ６）。ＴＶ放送周波数を切り替えるには、通信端末の制御装置１０からＴＶ放送チューナー８にＴＶ放送周波数の情報を送り、所望の周波数にチューニングし、ＴＶ放送周波数と視聴する番組（放送局、チャンネル）とを対応させるように設定する。例えば、現在のＴＶ放送受信地域が３の場合には、履歴情報、隣接情報を参照し、これに適合するＴＶ放送周波数を調べ、周波数９５ＭＨｚを得る。この周波数にＴＶチューナー８を設定する。Ｓ９においても同様である。
（６）ＴＶチューナー８のＴＶ放送周波数の設定がなされると、ＴＶ視聴開始の準備が完了し、ＴＶ視聴開始が可能となる（Ｓ７）。即ち、新たに設定したＴＶ放送周波数でＴＶ放送の受信が可能となる。Ｓ１０においても同様である。
（７）ＴＶ視聴開始が可能となった段階で、隣接情報を取得する（Ｓ１２）。即ち、現在のＴＶ放送受信地域に隣接するＴＶ放送受信地域における基地局情報、ＴＶ放送周波数等の情報を取得する。
【００３９】
隣接情報を取得するときは、通信端末から基地局へ隣接情報リクエストを送信することにより行う。基地局では隣接情報リクエストを受け取るとインターネット等のネットワークを介してデータベースにアクセスし、リクエストがあった基地局情報をもとに送信すべき隣接情報を選択し、通信端末へ隣接情報を送信する。通信端末は、受信した隣接情報を記憶装置１１に格納する。これにより、隣接するＴＶ放送受信地域の情報をあらかじめ取得することとなり、通信端末２４が隣接したＴＶ放送受信地域に移動した場合でも、既に必要な情報を取得済みであるためＴＶ放送周波数を高速に切り替えることが可能となり、低消費電力でＴＶ放送周波数を切り替えることが可能となる。
【００４０】
また、ＴＶ視聴開始が可能となった段階で、履歴情報を更新する。即ち、現在の時間、基地局情報、ＴＶ放送受信地域、ＴＶ放送周波数、信号強度等を履歴情報として新たに記憶する。これにより、通信端末が将来的に現在のＴＶ放送受信地域に再び移動してきた場合には、既に必要な情報を取得済みであるため高速にＴＶ放送周波数を切り替えることが可能となり、低消費電力でＴＶ放送周波数を切り替えることが可能となる。
【００４１】
なお、隣接情報の取得、履歴情報の更新は、ＴＶ視聴開始後、即ちＴＶ放送を受信して表示装置に表示を開始した後に行うことにより、より早くＴＶ視聴を開始することが可能となる。
【００４２】
以上、ＴＶ機能を起動したとき、またはＴＶチャンネルを変更したときのＴＶ視聴を開始するまでの処理について説明した。
【００４３】
次に、ＴＶ視聴中の処理について図４を用いて説明する。即ち、ＴＶ機能を起動してＴＶを視聴しているとき、ＴＶチャンネルを変更後そのＴＶチャンネルの番組を視聴しているときの処理を説明する。
（１）ＴＶを視聴しているときは（Ｓ２１）、ＴＶ放送の信号強度が規定値以上であるか否かを判断する（Ｓ２２）。即ち、現在視聴しているＴＶ放送の信号強度をＴＶ放送チューナーを介して確認する。ここで、信号強度が規定値以下となる場合としては、地理的な問題や遮蔽物があるためにＴＶ放送を適切に受信できない場合、気象状況により適切に受信できない場合、ＴＶ放送用アンテナの不調等により適切に受信できない場合等があり、これらの場合の中でも、特に視聴に耐えないほど信号強度が低下している場合をいう。
【００４４】
このような場合には、現在のＴＶ放送周波数で番組の視聴を継続するよりも、同一番組を放送している別の放送局のＴＶ放送周波数に切り替えるのが適切である。これにより、同一番組を継続して視聴することが可能となる。
【００４５】
また、同一番組を放送している別の放送局がないときは、同一カテゴリの番組に切り替えるのが適切である。例えば、ニュース番組、天気予報等はどの番組でも同じような内容を放送していると考えられ、同一カテゴリの番組に切り替えることでユーザが希望する情報を視聴することが可能となる。
【００４６】
また、同一番組を放送している別の放送局がないときは、同一系列の放送局の番組のＴＶ放送周波数に切り替えるのが適切である。例えば、スポーツ中継では同一系列の放送局であれば同一のチームを扱っている場合があり、同一系列の放送局の番組に切り替えることでユーザが希望する情報を視聴することが可能となる。
【００４７】
信号強度が規定値以下であると判断されたときは、現在位置において設定されているＴＶ周波数での放送は行われていないか、信号強度がＴＶ視聴可能なレベル以下であると判断し、後述するＴＶチャンネル選択フロー（Ｓ３０）へ移行する。一方、信号強度が規定値以上であると判断されたときは、設定されているＴＶ周波数のままＳ２３に移行する。
（２）基地局移動の有無を判断する（Ｓ２３）。即ち、ＴＶ視聴中に通信端末が移動することにより、基地局情報受信地域が変わったか否かを判断する。この処理は図３のＳ２の処理と同様である。
【００４８】
基地局移動がないと判断されたときは、ＴＶ放送周波数の設定をすることなくＴＶ視聴を継続して行う。基地局情報受信地域が変わっていないためＴＶ放送受信地域も変わっていないと判断されるからである。
【００４９】
一方、基地局移動があると判断されたときは、Ｓ２４に移行する。
（３）基地局移動があると判断されたときは、現在位置に対応する基地局、ＴＶ放送受信地域、ＴＶ放送周波数等の情報の有無を判断する（Ｓ２４）。即ち、現在の基地局受信地域に移動する前に、すでに隣接情報、履歴情報として現在位置に対応する情報を取得しているか否かを記憶装置１１を参照して確認する。この処理は図３のＳ３の処理と同様である。
【００５０】
現在位置に対応する情報がないと判断されたときは、後述するＴＶチャンネル選択フロー（Ｓ３０）へ移行する。
【００５１】
一方、現在位置に対応する情報があると判断されたときは、Ｓ２５に移行する。
（４）現在位置に対応する情報があると判断されたときは、ＴＶ放送受信地域の移動の有無を判断する（Ｓ２５）。この処理は図３のＳ４の処理と同様である。
【００５２】
ＴＶ放送受信地域の移動がないと判断されたときは、ＴＶ放送周波数を切り替える必要がないと判断し、ＴＶ視聴を継続する。
【００５３】
一方、ＴＶ放送受信地域の移動があると判断されたときは、Ｓ２６に移行する。
（５）ＴＶ放送受信地域の移動があると判断されたときは、ＴＶ放送の信号強度を確認する（Ｓ２６）。即ち、現在のＴＶ放送受信地域と過去のＴＶ放送受信地域での信号強度の比較を行う。この処理は図３のＳ５の処理と同様である。
【００５４】
信号強度が低下していないと判断されたときは、過去のＴＶ周波数設定のままＴＶ視聴を継続する。
【００５５】
一方、信号強度が低下したと判断されたときは、現在のＴＶ放送受信地域のＴＶ放送周波数でＴＶ放送チューナーをチューニングする必要があり、Ｓ２７に移行する。
（６）Ｓ２２からＳ２６によりＴＶ放送周波数を切り替えるべきと判断されたときは、ＴＶ放送周波数の切り替えを行う（Ｓ２７）。この処理は図３のＳ６の処理と同様である。
（７）隣接情報を取得する（Ｓ２８）。また、履歴情報を更新する。この処理は、図３のＳ１２と同様の処理である。この処理がなされた後、Ｓ２１に戻りＴＶ視聴を継続する。
【００５６】
次に、ＴＶチャンネル選択フロー（Ｓ３０）の処理を、図５を用いて説明する。
【００５７】
このＴＶチャンネル選択フローは、Ｓ２２でＴＶ放送の信号強度が規定値以下であると判断されたとき、Ｓ２４で現在位置に対応する情報がないと判断されたとき等、ＴＶ放送を視聴できない状況にある場合に実行される。また、ユーザがＴＶ放送の番組を切り替えたときに実行される。
【００５８】
このような場合には、前述したように、同一番組を放送している別の放送局のＴＶ放送周波数に切り替えたり、同一カテゴリの番組に切り替えたり、同一系列の放送局の番組に切り替えることが適切である。このような切り替え処理は、通信端末で自動的に行うことが望ましい。自動的に切り替えないと番組視聴を継続できず、また、ユーザが自らＴＶ放送周波数を切り替える必要を生じて煩雑となるからである。この際、ユーザの希望に応じてどの番組に切り替えるか適切に選択できるように処理することが望ましい。
【００５９】
図５は、放送局別で選択する処理（Ｓ３１）、番組のカテゴリで選択する処理（Ｓ３２）、番組をオートサーチする処理（Ｓ３３）を示している。いずれの処理を選択するかは様々な手法により設定することが可能である。例えば、いずれの処理を選択するか画面に表示させてユーザに選択させる手法や、通信端末に放送局別選択、番組カテゴリ選択のボタンを用意し、これを押下することにより選択させる手法や、いずれの処理を選択するかあらかじめユーザに設定させておく手法等が考えられる。また、オート番組サーチはあらかじめオート番組サーチになるように通信端末を設定しておけば良い。図１２はユーザがいずれの処理を希望するか選択させる画面を示したものであり、ここでは「番組カテゴリ別で選択」を選択した状況を示している。
【００６０】
放送局別で番組を選択する場合は（Ｓ３１）、現在位置で受信できるＴＶ番組を放送局別にＴＶ番組情報を画面に表示し、これを選択するような方法とする。あるいは、放送局別に割り振られたボタンを通信端末に用意し、これを押下することにより所望の番組を選択する方法を取っても良い。このとき、現在位置で受信できない番組が選択されたときは、警告が表示されるようにしても良い。ＴＶ番組情報は、ＥＰＧ等によりあらかじめ通信端末に記憶しておいたり、必要が生じたときにサーバにアクセスして情報を取得したり、デジタル放送の放送データに含まれる情報から取得したりすることが可能である。図１３はユーザがいずれの放送局を希望するか選択させる画面を示したものであり、ここでは「放送局Ｃ  ・・・ドラマ○○」を選択した状況を示している。
【００６１】
番組のカテゴリで選択する場合は（Ｓ３２）、現在位置で受信できるＴＶ番組をカテゴリ別にＴＶ番組情報を画面に表示し、これを選択するような方法とする。あるいは、カテゴリ別に割り振られたボタンを通信端末に用意し、これを押下することにより所望の番組を選択する方法を取っても良い。このとき、現在位置で受信できないカテゴリの番組のボタンを押下したときは、警告が表示されるようにしても良い。番組のカテゴリの情報は、ＥＰＧ等によりあらかじめ通信端末に記憶しておいたり、必要が生じたときにサーバにアクセスして情報を取得したり、デジタル放送の放送データに含まれる情報から取得したりすることが可能である。図１４はユーザがいずれのカテゴリの番組を希望するか選択させる画面を示したものであり、ここでは「天気予報」を選択した状況を示している。
【００６２】
オート番組サーチの処理を行う場合は（Ｓ３３）、ＴＶ番組を局別選択によって選択していた場合には、現在選択中の放送局と異なる放送局に自動で設定する。ＴＶ番組をカテゴリ別選択によって選択していた場合には、カテゴリ別に分類された放送局内の現在選択中の放送局と異なる放送局に自動で設定する。ＴＶ番組をボタン等により直接指定していたような場合には、その指定の放送局とは異なる放送局を選択する。放送局の選択順序は、現在の受信地域で受信可能なＴＶ放送局名の名前順または周波数順で選択する。
【００６３】
上記の番組選択処理で視聴したいＴＶ番組の選択が完了したら、前述のＴＶ機能を起動し、またはＴＶチャンネルを切り替え（Ｓ３４）、番組視聴を継続する。
【００６４】
なお、上記はＴＶ放送周波数を切り替える流れで説明したが、ＴＶ放送周波数を切り替えないようにすることも可能である。例えば、映像は乱れても音声は聞き取れるような場合には、映像をオフして音声だけ流すということも可能である。ニュース番組、スポーツ中継の場合には音声だけでもある程度は内容を理解することが可能であり、ユーザによっては音声だけ聴きたいと希望する場合もあると考えられるからである。
【００６５】
以上のように、本発明における通信端末によれば、所望する番組を受信するためのＴＶ放送周波数を基地局情報から最適な周波数に設定することが出来る。特に、通信端末が移動した場合でも、移動先位置での最適なＴＶ放送周波数に自動で設定することが可能なので、利用者が手作業でチューニングしなければならない作業を自動化できる。
【００６６】
また、通信端末が高速で移動した場合でも、隣接情報、履歴情報を通信端末内に記憶しているため、隣接したＴＶ放送受信地域へ移動した場合や、過去に移動したことがあるＴＶ放送受信地域に移動した場合には高速でＴＶ放送周波数を切り替えることが可能となる。
【００６７】
また、隣接したＴＶ放送受信地域外に移動をした場合でも、外部ネットワークを通して当該地域と当該地域に隣接した地域の隣接情報を新たに取得するため、いったん隣接情報を取得した後は高速でＴＶ放送周波数を切り替えることが可能となる。例えば、通信端末を用いて海外でＴＶ視聴を行う場合でも、ＴＶ放送が受信できる地域であれば基地局情報を用いてＴＶ視聴を行うことが可能となる。
【００６８】
また、ＴＶ放送の信号強度が既定値以下で受信できないような場合には、同一番組が行われている別の放送局に自動的に切り替わるので、同じ番組を継続して視聴することが出来る。同じ地域で同一番組を放送している放送局がなかった場合は、前回番組を選択した方法から同一カテゴリの番組、あるいは同一系列放送局の番組に自動で切り替えることが出来るので、同じような番組を継続して見たい場合には、手動で選択する必要がなくなる。
【００６９】
なお、以上は隣接した地域の情報を取得するものとして説明したが、隣接した地域外の情報を取得する構成としても良い。これにより、例えば飛行機で移動した場合等、隣接した地域を飛び越して移動した場合でも外部に接続することなく情報を取得することが可能となり、高速にＴＶ放送周波数の切り替えが可能となる。また、これとは逆に、現在位置を中心とする限られた地域の情報のみを取得する構成としても良い。この場合には、移動するたびに移動先地域の情報を新たに取得する必要があるが、記憶容量を節約して装置の小型化、コストダウンを図ることができる。
【００７０】
また、現在視聴中の放送局が、隣接するＴＶ放送受信地域で放送されておらず、ＴＶ放送周波数を切り替えても受信することができないような場合には、現在視聴中の放送局の番組の視聴を継続できない旨の警告をあらかじめ表示装置の画面に表示したり、警告音を鳴らしたりすることも可能である。図１５は、画面に警告を表示した状況を示している。
【００７１】
また、本発明の構成について、ＴV放送受信チューナー８とＴＶ放送変復調器９はＴＶ放送受信だけに限った構成ではなく、ラジオ放送ならば、それぞれラジオ放送受信チューナーとラジオ放送変復調器の構成でも良く、データ放送ならば、それぞれデータ放送受信チューナーとデータ放送変復調器の構成としても良く、放送形態に合わせたチューナーと変復調器の構成とすれば良い。このような構成とすることで、様々な形態の放送を受信することが可能となる。
（第２の実施の形態）
本発明の第２の実施の形態について、図面を参照して説明する。
【００７２】
まず、図９を用いて本実施の形態における通信端末、基地局の構成を説明する。
【００７３】
基地局１は、第1の実施の形態（図１）と同様であり、説明を省略する。
【００７４】
通信端末５も、ほぼ第１の実施の形態（図１）と同様であるが、ＲＦＩＤ信号送受信装置１３を有している点で相違している。ＲＦＩＤは、例えば壁、天井、装置等に設置されており、ＲＦＩＤ信号送受信装置１３は、このＲＦＩＤから送信された位置情報を受信する。ＲＦＩＤには、無線信号で位置情報リクエストを受信すると設置位置の情報を送信するものと、設置位置の情報を常に送信しつづけるものとがあるが、ここではいずれであっても構わない。
【００７５】
通信端末５は、ＲＦＩＤ信号送受信装置１３によりＲＦＩＤから送信された位置情報を受信することで現在の位置情報を取得することが可能である。受信した位置情報は制御装置１０に送られ、記憶装置１１に格納される。現在の位置情報は、履歴情報または隣接情報として、それぞれ図１０、図１１のような形で記憶される。即ち、第１の実施の形態における基地局情報を位置情報に置き換えた形で記憶される。ＴＶ機能起動時の処理（図３）、ＴＶ視聴中の処理（図４）についても、同様に基地局情報を位置情報に置き換えた形で処理がなされる。
【００７６】
現在位置をＲＦＩＤによって取得することにより、ＧＰＳ等の位置情報取得手段よりも正確に位置情報を取得することが可能である。また、位置情報を送信可能なＲＦＩＤが設置してある地域ならどこでも、詳細な位置情報を把握することが出来る。具体的な位置情報はＡ県Ｂ市Ｃ番地ＤビルＥ階Ｆ室Ｇ席等であり、ＲＦＩＤが設置されている個所や個数によって詳細な位置情報を知ることが出来る。ＴＶ放送が地域限定の狭い範囲で行われるものであり、ＴＶ放送受信地域が基地局情報受信地域より狭い場合には第１の実施の形態の手法では適切にＴＶ放送周波数を切り替えることが出来ないが、本実施の形態では詳細な位置情報を知ることができるため、このような場合でも適切にＴＶ放送周波数を切り替えることが可能となる。
【００７７】
以上のように、本実施の形態によれば、基地局情報受信地域よりＴＶ放送受信地域が小さいような場合においても、ＴＶ放送周波数の切り替えを行うことが可能である。これにより、ＧＰＳ電波が届かないような場所でＴＶ周波数の切り替えを行うような場合においても、所望の番組のＴＶ放送周波数に自動で設定することが可能である。
【００７８】
また、本実施の形態では、ＲＦＩＤの位置情報、基地局情報のいずれをも用いてもＴＶ放送受信地域の移動を判断するようにしても良い。これにより、ＴＶ放送受信地域が基地局情報より大きいとき、小さいときの両方の場合に最適なＴＶ放送周波数に設定することが可能となる。それぞれ第１の実施の形態、第２の実施の形態の手法を利用することで、高速かつ低消費電力なＴＶ放送周波数の切り替えが可能となる。
【図面の簡単な説明】
【００７９】
【図１】第１の実施の形態における通信端末の構成を示す図。
【図２】本発明の概要を示す図。
【図３】ＴＶ機能を起動したときの処理を示すフローチャート。
【図４】ＴＶ視聴中の処理を示すフローチャート。
【図５】ＴＶチャンネル切り替え時の処理を示すフローチャート。
【図６】過去にいた位置の基地局情報、ＴＶ放送受信地域、ＴＶ放送周波数、信号強度を格納する履歴情報を示す図。
【図７】基地局情報、ＴＶ放送周波数、ＴＶ放送受信地域を格納する隣接情報を示す図。
【図８】放送局別に構成された隣接情報、履歴情報を示す図。
【図９】第２の実施の形態における通信端末の構成を示す図。
【図１０】過去にいた位置の情報、ＴＶ放送受信地域、ＴＶ放送周波数、信号強度を格納する履歴情報を示す図。
【図１１】ＲＦＩＤから取得した位置情報、ＴＶ放送周波数、ＴＶ放送受信地域を格納する隣接情報を示す図。
【図１２】ユーザがいずれの処理を希望するか選択する画面を示す図。
【図１３】ユーザがいずれの放送局を希望するか選択する画面を示す図。
【図１４】ユーザがいずれのカテゴリの番組を希望するか選択する画面を示す図。
【図１５】画面に警告を表示した状況を示す図。
【符号の説明】
【００８０】
１…基地局、２…基地局送受信器、３…基地局変復調器、４…データベース、５…通信端末、６…送受信器、７…変復調器、８…ＴＶ放送受信チューナー、９…ＴＶ放送変復調器、１０…制御装置、１１…記憶装置、１２…表示装置、１３…ＲＦＩＤ送受信装置、２０…ＴＶ放送受信地域、２１…ＴＶ放送用アンテナ、２２…基地局情報受信地域、２３…基地局アンテナ、２４…通信端末、２５…ＴＶ放送受信地域。
【図１】
2005175556.tif 000003
【図２】
2005175556.tif 000004
【図３】
2005175556.tif 000005
【図４】
2005175556.tif 000006
【図５】
2005175556.tif 000007
【図６】
2005175556.tif 000008
【図７】
2005175556.tif 000009
【図８】
2005175556.tif 000010
【図９】
2005175556.tif 000011
【図１０】
2005175556.tif 000012
【図１１】
2005175556.tif 000013
【図１２】
2005175556.tif 000014
【図１３】
2005175556.tif 000015
【図１４】
2005175556.tif 000016
【図１５】
2005175556.tif 000017